(57)【要約】      （修正有）【課題】魔法瓶を提供する。【解決手段】瓶本体１２を含み、前記瓶本体は外筒１６と、外筒内に収容された内筒１８とを含み、該外筒と内筒との間に介在空間２０が形成され、該内筒は水を収容し、該外筒の筒本体底段２４には窓口３０が設けられ、該窓口内には透明窓板３４が結合され、該窓口に対応する内筒の筒本体底段には温度感知色料３２が設けられ、該温度感知色料は内筒内の水温を直接感知することで色を変更可能であり、窓口を介して温度感知色料の温度変化の色を外部に表示することができる。このため、本考案に係る魔法瓶１０は、瓶内の水温をユーザに提示することで、ユーザが水温をいつでも保温として飲用できるように所要の飲水温度に調整することができる。また、ユーザは、瓶外から瓶内のお湯温度を精確に観察することができるため、瓶内のお湯を飲んだ場合にはより気をつけられるようになり、お湯によってやけどをしてしまう迷惑と傷つきを回避することができる。【選択図】図３
0003208064.tif 000002
【実用新案登録請求の範囲】
【請求項１】
外筒と前記外筒内に収容された内筒とを含む瓶本体であって、前記外筒と前記内筒との間に介在空間が形成されており、前記内筒は水を収容し、前記外筒には窓口が設けられ、前記窓口内には透明窓板が結合され、前記窓口に対応する内筒外周箇所には温度感知色料が設けられ、前記温度感知色料は前記内筒内の水温に従って変色可能な瓶本体と、
前記瓶本体の筒本体頂段に結合された瓶蓋と、
を備えることを特徴とする魔法瓶。
【請求項２】
前記外筒は筒本体頂段と筒本体底段とを有し、前記外筒の筒本体底段には平面部が形成され、前記窓口は前記平面部内に設けられ、前記窓板は前記平面部内に嵌合されかつ前記介在空間内に位置し、前記窓板上には表示部が設けられ、前記表示部は前記窓口内に収容され、これにより前記温度感知色料の色は前記表示部を介して外部に表示することができることを特徴とする請求項１に記載の魔法瓶。
【請求項３】
前記温度感知塗料は、前記窓口に対応する筒本体底段に設けられ、前記窓板の表示部内には前記温度感知色料の色に対応するための複数の温度指示領域または温度目盛りが設けられていることを特徴とする請求項２に記載の魔法瓶。
【請求項４】
前記瓶蓋は前記外筒の筒本体頂段に結合され、前記外筒の筒本体底段には底蓋が結合され、前記底蓋の底面には滑り止めワッシャが取り付けられていることを特徴とする請求項２に記載の魔法瓶。
【考案の詳細な説明】
【技術分野】
【０００１】
本考案は、魔法瓶に関し、特に温度を精確に提示可能な魔法瓶に関するものである。
【背景技術】
【０００２】
魔法瓶は、瓶内の水または飲料が短時間で冷却または変質しないようにするためのものであり、その用途が極めて広い。従来の魔法瓶は、金属製瓶本体（瓶体）と瓶蓋とを含み、瓶本体は内壁と、外壁と、瓶開口とを有し、内壁と外壁との間に保温効果を高める介在空間が形成されている。瓶蓋は、一般的には蓋本体と蓋本体の内側に結合された内回転蓋とからなる。そのうち、内回転蓋の外周には瓶本体の瓶開口と互いに螺合可能なねじ山が設けられており、これにより瓶本体は密封性を有することになる。従来の魔法瓶は、良好的な保温効果を有するが、一般的には温度提示機能を有しないため、魔法瓶内にお湯が入っている場合、ユーザはそれを知らないまま飲んだら、瓶内のお湯によってやけどをしてしまう虞がある。
【０００３】
上記の問題を改善するために、瓶蓋上に温度感知塗料が設けられた魔法瓶が知られている。台湾実用新案第Ｍ４６０６１４号には、コップ蓋と、瓶体と、耐温アクリル片と、温度感知塗料と、第１の金属導体と、第２の金属導体と、漏れ防止ワッシャとからなる温度感知型変色魔法瓶が開示されている。第２の金属導体は、漏れ防止ワッシャとコップ蓋の底部中央箇所を順次に貫通し、第１の金属導体は、コップ蓋の頂部凹溝に接続され第２の金属導体の頂端に接続され、瓶体の頂端はコップ蓋の下端に接続され、温度感知塗料は第１の金属導体に塗布され、耐温アクリル片によりコップ蓋の頂部凹溝に固定され、第２の金属導体の温度が上昇している場合、それに伴って第１の金属導体の温度が上昇する。よって、第１の金属導体に付着された温度感知塗料は高温によって変色し温度を表示する。しかしながら、この魔法瓶は、構造が複雑で製造が面倒でコストが高いうえに、瓶蓋に設けられた温度感知塗料は瓶内の水温を精確に提示するのが難しい（特に魔法瓶内に入った水の量が少ない場合、金属導体はお湯に直接接触できず、熱気だけで検知したため、さらに伝導距離が長くなったため、精確性が失われてしまう）。さらに、瓶蓋が開けられた後、一方の金属導体が外部へ突出するため、危険性が起こりやすくなる。温度感知の精確性を高めるためにその金属導体を瓶底に長くした場合は、危険性がさらに高くなる。
【先行技術文献】
【特許文献】
【０００４】
【特許文献１】台湾実用新案第Ｍ４６０６１４号
【考案の概要】
【考案が解決しようとする課題】
【０００５】
そこで、本考案は、構造が簡単で、瓶内の水温をユーザに提示することで、ユーザが水温を保温飲用として所要の飲水温度に調整するとともに、ユーザが瓶内水温の高すぎによるお湯によってやけどしたり飲用できないことを回避可能な魔法瓶を提供することを目的とする。
【課題を解決するための手段】
【０００６】
本考案に係る魔法瓶は、瓶本体と瓶蓋とを含み、該瓶本体は外筒と、該外筒に収容された内筒とを含み、該外筒と内筒との間に介在空間が形成されている。該内筒は水を収容し、該外筒の筒本体には窓口が設けられ、該窓口内には透明窓板が結合され、該窓口に対応する内筒筒本体箇所に温度感知色料が設けられ、該温度感知色料は色が該内筒内の水温に従って変色可能であり、該温度感知色料の色は、該窓板を介して外方へ表示することで、ユーザは瓶本体内の水温を容易に知ることができる。
【考案の効果】
【０００７】
本考案に係る魔法瓶によれば、魔法瓶に入った水量の多少を問わず、瓶内の水温をユーザに精確に提示することができる。
【図面の簡単な説明】
【０００８】
【図１】本考案に係る一実施例の魔法瓶の立体図である。
【図２】図１の魔法瓶の素子分解図である。
【図３】図１の魔法瓶の一部の断面図である。
【図４】図１の魔法瓶の正面図である。
【考案を実施するための形態】
【０００９】
図１ないし図４に示すように、本考案に係る魔法瓶１０は、筒状瓶本体１２と、瓶蓋１４とを含む。この実施例において、瓶本体１２は、例えばステンレスの金属材からなり、外筒１６と、外筒１６内に収容された内筒１８とを含む。外筒１６と内筒１８との間に介在空間２０が形成されている。外筒１６は、筒本体頂段２２と、筒本体底段２４とを有し、瓶蓋１４は、外筒１６の筒本体頂段２２に開閉可能に結合され、外筒１６の筒本体底段２４には底蓋２６が結合され、底蓋２６の底面には滑り止めワッシャ２８が取り付けられている。
【００１０】
魔法瓶１０の特徴としては、外筒１６の筒本体には窓口３０が設けられ、窓口３０に対応する内筒１８の筒本体には温度感知色料３２が設けられることで、ユーザは窓口３０を介して温度感知色料３２の色を観察することができる。具体的な実施例において、温度感知色料３２は、上昇又は下降に従って色を繰り返し変更可能なマイクロカプセル材料であり、異なる温度エリアにおいて変色可能である。外筒１６の筒本体底段２４には内方へ凹む平面部３３が設けられ、窓口３０は、平面部３３内に設けられ、平面部３３に嵌合され介在空間２０内に位置する透明の窓板３４を有する。窓板３４には、突出する表示部３６が設けられ、表示部３６は、窓口３０内に収容され、これにより温度感知色料３２の色は表示部３６を介して外部に表示することができる。窓板３４は、平面部３３に水平に嵌合されているため、製造工程の利便性が大幅に向上している。さらに、窓板３４の表示部３６内には、温度感知色料３２の色変更に対応するための環状となる複数の温度指示領域（または温度目盛り）３８が設けられることで、ユーザは温度感知色料３２によって感知された温度エリアを容易に知ることができる。
【００１１】
本考案に係る魔法瓶１０によれば、実施の際に、瓶本体１２内にお湯（または熱い飲料）が入っている場合、水温が温度感知色料３２によって直接感知されるため、水温に対応する色が表示される。一つの実施例において、水温が低温エリア（例えば２２度以下）にある場合、温度感知色料３２は紫色に表示され、水温が中低温エリアにある場合、温度感知色料３２は花紺青に表示され、水温が中温エリアにある場合、温度感知色料３２はばら色に表示され、水温が高温（例えば６２度以上）にある場合、温度感知色料３２は例えばピンクの下色に表示される。従って、ユーザは、窓口３０を介して温度感知色料３２の色を観察することができる。さらに、対応する温度指示領域３８または温度目盛りに合わせれば、瓶本体１２内の水温を容易に知ることができる。このため、ユーザは、水温を保温飲用として所要の飲水温度に調整するとともに、ユーザが瓶内水温の高すぎによるお湯によってやけどしたり飲用できないことを回避することができる。さらに、温度感知色料３２が内筒１８の筒本体底部に設けられているため、内筒１８に収容された水量の不足によって精確性を失うことはない。従って、本考案に係る魔法瓶１０は、瓶本体１２内の水温変化を精確に反応することができる。
【００１２】
上記のように、これらの実施の形態は本考案の好ましい実施例のみであり、本考案の特許請求の範囲に基づいてなされる等価の変更や修飾は、本考案の技術範囲に入るものである。
【００１３】
以上のように、本考案では、外筒と前記外筒内に収容された内筒とを含む瓶本体であって、前記外筒と前記内筒との間に介在空間が形成されており、前記内筒は水を収容し、前記外筒には窓口が設けられ、前記窓口内には透明窓板が結合され、前記窓口に対応する内筒外周箇所には温度感知色料が設けられ、前記温度感知色料は前記内筒内の水温に従って変色可能な瓶本体と、前記瓶本体の筒本体頂段に結合された瓶蓋と、を備えることを特徴とする魔法瓶とするものである。
【００１４】
また、前記外筒は筒本体頂段と筒本体底段とを有し、前記外筒の筒本体底段には平面部が形成され、前記窓口は前記平面部内に設けられ、前記窓板は前記平面部内に嵌合されかつ前記介在空間内に位置し、前記窓板上には表示部が設けられ、前記表示部は前記窓口内に収容され、これにより前記温度感知色料の色は前記表示部を介して外部に表示することができるものとする。
【００１５】
また、前記温度感知塗料は、前記窓口に対応する筒本体底段に設けられ、前記窓板の表示部内には前記温度感知色料の色に対応するための複数の温度指示領域または温度目盛りが設けられているものとする。
【００１６】
また、前記瓶蓋は前記外筒の筒本体頂段に結合され、前記外筒の筒本体底段には底蓋が結合され、前記底蓋の底面には滑り止めワッシャが取り付けられているものとする。
【産業上の利用可能性】
【００１７】
本考案に係る魔法瓶によれば、魔法瓶に入った水量の多少を問わず、瓶内の水温をユーザに精確に提示することができる。
【符号の説明】
【００１８】
１０  魔法瓶
１２  瓶本体
１４  瓶蓋
１６  外筒
１８  内筒
２０  介在空間
２２  筒本体頂段
２４  筒本体底段
２６  底蓋
２８  滑り止めワッシャ
３０  窓口
３２  温度感知色料
３４  窓板
３６  表示部
３８  温度指示領域
【図１】
0003208064.tif 000003
【図２】
0003208064.tif 000004
【図３】
0003208064.tif 000005
【図４】
0003208064.tif 000006
【手続補正書】
【提出日】平成28年10月14日(2016.10.14)
【手続補正１】
【補正対象書類名】実用新案登録請求の範囲
【補正対象項目名】請求項３
【補正方法】変更
【補正の内容】
【請求項３】
前記温度感知色料は、前記窓口に対応する筒本体底段に設けられ、前記窓板の表示部内には前記温度感知色料の色に対応するための複数の温度指示領域または温度目盛りが設けられていることを特徴とする請求項２に記載の魔法瓶。